(57)【特許請求の範囲】
【請求項１】
複数のストリングが接続される接続箱を有する太陽光発電装置における当該複数のストリングについての電流−電圧特性を測定して測定データとして出力する測定部と、前記複数のストリングについての前記測定データを取得して記憶部に記憶させる記憶処理および当該記憶部に記憶されている当該測定データに基づいて当該複数のストリングについての前記電流−電圧特性を示す特性グラフを表示部の画面上に重ね合わせて表示させる表示処理を実行する処理部と、操作部とを備えている太陽電池特性測定装置であって、
前記処理部は、前記記憶処理において、前記測定部から取得した前記ストリングについての前記測定データを当該ストリングが接続されている前記接続箱を示す箱識別情報に関連付けて前記記憶部に記憶させ、前記表示処理としてのバッチ表示処理においては、前記操作部から出力された箱指定情報で指定された前記接続箱を示す前記箱識別情報に関連付けられているすべての前記ストリングについての前記測定データを読み出すと共に当該測定データに基づいて当該ストリングについての前記特性グラフを重ね合わせて表示させる太陽電池特性測定装置。
【請求項２】
前記処理部は、前記記憶処理において、前記測定部から取得した前記ストリングについての前記測定データを前記箱識別情報としての箱番号に関連付けて前記記憶部に記憶させつつ、当該箱番号に関連付けして記憶させた前記測定データの数が予め規定した規定数に達したときに当該箱番号をインクリメントする請求項１記載の太陽電池特性測定装置。
【請求項３】
前記処理部は、前記記憶処理において、前記操作部から出力された前記太陽光発電装置の設置場所を示す場所情報にも前記測定データを関連付けて前記記憶部に記憶させ、前記バッチ表示処理において、前記操作部から前記箱指定情報と共に場所指定情報が出力されているときには、当該箱指定情報で指定された前記接続箱を示す前記箱識別情報に関連付けられると共に当該場所指定情報で指定された前記設置場所を示す前記場所情報に関連付けられているすべての前記ストリングについての前記測定データを読み出すと共に当該測定データに基づいて当該ストリングについての前記特性グラフを重ね合わせて表示させる請求項１または２記載の太陽電池特性測定装置。
【請求項４】
前記処理部は、前記記憶処理において、前記測定データの測定の日付を示す日付情報にも当該測定データを関連付けて前記記憶部に記憶させ、前記バッチ表示処理において、前記操作部から前記箱指定情報と共に日付指定情報が出力されているときには、当該箱指定情報で指定された前記接続箱を示す前記箱識別情報に関連付けられると共に当該日付指定情報で指定された前記日付を示す前記日付情報に関連付けられているすべての前記ストリングについての前記測定データを読み出すと共に当該測定データに基づいて当該ストリングについての前記特性グラフを重ね合わせて表示させる請求項１から３のいずれかに記載の太陽電池特性測定装置。
【請求項５】
前記測定部は、前記電流−電圧特性を測定する前記ストリングとの接続の有無を検出する接続検出機能、当該接続検出機能に基づいて前記ストリングとの接続を検出しているときに当該ストリングについての前記電流−電圧特性を測定すると共に当該測定の時点でのストリング番号を当該測定した電流−電圧特性を示す前記測定データと共に出力する測定機能、および前記接続検出機能に基づいて前記ストリングとの接続が解除されたことを検出したときに前記ストリング番号をインクリメントまたはデクリメントするストリング番号更新機能を備え、
前記表示部はタッチパネル機能を備え、
前記処理部は、前記記憶処理において、前記測定部から出力される前記測定データおよびストリング番号を取得すると共に当該測定データを当該ストリング番号にも関連付けて記憶させ、前記バッチ表示処理において、前記複数のストリングの前記特性グラフを前記画面上に重ね合わせて表示させると共に当該特性グラフのうちの選択された１つを選択特性グラフとして他の特性グラフとは異なる選択区別用表示形態で表示させている状態のときに、前記タッチパネル機能によって前記画面上でのフリック操作を検出したときには、当該検出したフリック操作の方向に応じて、前記選択特性グラフに関連付けられている前記ストリング番号をインクリメントまたはデクリメントして得られる新たなストリング番号に関連付けられている前記特性グラフを新たな前記選択特性グラフとして前記選択区別用表示形態で表示させる請求項１から４のいずれかに記載の太陽電池特性測定装置。
【請求項６】
前記処理部は、前記表示処理としてのリアルタイム表示処理においては、１つの前記接続箱に接続されている前記複数のストリングについての前記測定データを前記測定部から取得する都度、当該測定データに基づき新たな前記特性グラフを最新の特性グラフであることを示す最新区別用表示形態で表示させると共に既に表示されている他の前記特性グラフを当該最新区別用表示形態とは異なる表示形態で表示させる請求項１から５のいずれかに記載の太陽電池特性測定装置。
【請求項７】
前記記憶部には、前記測定データに基づいて当該測定データに対応する前記ストリングが正常状態であるか異常状態であるかを判別するための判定データが記憶され、
前記処理部は、前記表示処理において、前記判定データに基づいて異常状態であると判別した前記ストリングについての前記特性グラフを異常であることを示す異常区別用表示形態で表示させる請求項１から６のいずれかに記載の太陽電池特性測定装置。
【発明の詳細な説明】
【技術分野】
【０００１】
本発明は、太陽電池の電流−電圧特性を測定する太陽電池特性測定装置に関するものである。
【背景技術】
【０００２】
この種の測定装置の一例として、下記の特許文献１に開示された測定装置（発電出力測定装置）が知られている。この測定装置は、負荷部（例えば電流ダミーロード）、測定部、制御部、表示部、入力部、およびメモリ媒体装着部を備えて、太陽光発電装置や風力発電装置などの自然エネルギーを利用した発電装置の電流−電圧特性を測定可能に構成されている。
【０００３】
具体的には、この測定装置では、例えば、複数のストリング（太陽電池ストリング）を備えた太陽光発電装置についての電流−電圧特性を測定するときには、制御部は、ストリングに接続された負荷部に引き込む電流の電流値を段階的に変化させつつ、各段階でのストリングに流れる電流の電流値とストリングの出力電圧とを測定部を介して測定して、内部記憶部にこのストリングに対応させて記憶する。太陽光発電装置のストリングが複数存在しているときには、制御部は、すべてのストリングについての上記の電流値と電圧値とを測定して記憶する。また、制御部は、すべてのストリングについての電流値および電圧値の測定が完了したときには、内部記憶部に記憶されている各ストリングについての電流値および電圧値に基づき、各ストリングについての電流−電圧特性グラフ（いわゆるＩＶカーブ）を表示部に重ね合わせて表示させる。これにより、太陽電池の電流−電圧特性の測定が完了する。
【０００４】
この測定装置によれば、重ね合わせて表示されている電流−電圧特性グラフに基づき、同じ発電環境で測定された太陽光発電装置の各ストリングについての電流−電圧特性の比較が可能なため、各ストリングの状態を相対的に評価（例えば、１つだけ他の特性と大きく異なる特性があるときには、この１つの特性に対応するストリングに異常が生じていると評価）することが可能となっている。
【先行技術文献】
【特許文献】
【０００５】
【特許文献１】特開２０１３−２１８４３８号公報（第６−１３頁、第１−２０図）
【発明の概要】
【発明が解決しようとする課題】
【０００６】
ところが、上記の太陽電池特性測定装置には、以下のような解決すべき課題が存在している。すなわち、このように電流−電圧特性に基づく各ストリングの評価は有用なため、作業者は、この太陽電池特性測定装置を所持して太陽光発電装置の設置場所を回り、各太陽光発電装置の各ストリングに対する保守点検を行っている。この際に、作業者は、太陽光発電装置に設けられた接続箱毎に、接続箱に接続されている複数のストリングについての電流−電圧特性を太陽電池特性測定装置を用いて測定しつつ評価する手法（上記の特許文献１に開示されている手法）を採用するのが一般的である。また、作業者は、太陽電池特性測定装置を用いて電流−電圧特性を測定している現在の各ストリング（同じ接続箱に接続されているストリング）の評価に際して、既に保守点検が完了している（つまり、電流−電圧特性の測定および評価が完了している）他の接続箱に接続されている他のストリングについての電流−電圧特性を参照したいと考える場合や、複数の太陽光発電装置について測定した電流−電圧特性（つまり、複数の接続箱毎に測定した複数のストリングについての電流−電圧特性）を自社に持ち帰ってまとめて評価したいと考える場合がある。しかしながら、上記の太陽電池特性測定装置には、１つの接続箱に接続されている複数のストリングについての電流−電圧特性を測定して記憶する機能しかないため、このような作業者の要望に応えることができない。
【０００７】
本発明は、かかる課題を改善するためになされたものであり、複数の接続箱についてのストリングの電流−電圧特性を記憶し、かつ指定された接続箱に接続されている複数のストリングについての電流−電圧特性を重ねて表示し得る太陽電池特性測定装置を提供することを主目的とする。
【課題を解決するための手段】
【０００８】
上記目的を達成すべく請求項１記載の太陽電池特性測定装置は、複数のストリングが接続される接続箱を有する太陽光発電装置における当該複数のストリングについての電流−電圧特性を測定して測定データとして出力する測定部と、前記複数のストリングについての前記測定データを取得して記憶部に記憶させる記憶処理および当該記憶部に記憶されている当該測定データに基づいて当該複数のストリングについての前記電流−電圧特性を示す特性グラフを表示部の画面上に重ね合わせて表示させる表示処理を実行する処理部と、操作部とを備えている太陽電池特性測定装置であって、前記処理部は、前記記憶処理において、前記測定部から取得した前記ストリングについての前記測定データを当該ストリングが接続されている前記接続箱を示す箱識別情報に関連付けて前記記憶部に記憶させ、前記表示処理としてのバッチ表示処理においては、前記操作部から出力された箱指定情報で指定された前記接続箱を示す前記箱識別情報に関連付けられているすべての前記ストリングについての前記測定データを読み出すと共に当該測定データに基づいて当該ストリングについての前記特性グラフを重ね合わせて表示させる。
【０００９】
請求項２記載の太陽電池特性測定装置は、請求項１記載の太陽電池特性測定装置において、前記処理部は、前記記憶処理において、前記測定部から取得した前記ストリングについての前記測定データを前記箱識別情報としての箱番号に関連付けて前記記憶部に記憶させつつ、当該箱番号に関連付けして記憶させた前記測定データの数が予め規定した規定数に達したときに当該箱番号をインクリメントする。
【００１０】
請求項３記載の太陽電池特性測定装置は、請求項１または２記載の太陽電池特性測定装置において、前記処理部は、前記記憶処理において、前記操作部から出力された前記太陽光発電装置の設置場所を示す場所情報にも前記測定データを関連付けて前記記憶部に記憶させ、前記バッチ表示処理において、前記操作部から前記箱指定情報と共に場所指定情報が出力されているときには、当該箱指定情報で指定された前記接続箱を示す前記箱識別情報に関連付けられると共に当該場所指定情報で指定された前記設置場所を示す前記場所情報に関連付けられているすべての前記ストリングについての前記測定データを読み出すと共に当該測定データに基づいて当該ストリングについての前記特性グラフを重ね合わせて表示させる。
【００１１】
請求項４記載の太陽電池特性測定装置は、請求項１から３のいずれかに記載の太陽電池特性測定装置において、前記処理部は、前記記憶処理において、前記測定データの測定の日付を示す日付情報にも当該測定データを関連付けて前記記憶部に記憶させ、前記バッチ表示処理において、前記操作部から前記箱指定情報と共に日付指定情報が出力されているときには、当該箱指定情報で指定された前記接続箱を示す前記箱識別情報に関連付けられると共に当該日付指定情報で指定された前記日付を示す前記日付情報に関連付けられているすべての前記ストリングについての前記測定データを読み出すと共に当該測定データに基づいて当該ストリングについての前記特性グラフを重ね合わせて表示させる。
【００１２】
請求項５記載の太陽電池特性測定装置は、請求項１から４のいずれかに記載の太陽電池特性測定装置において、前記測定部は、前記電流−電圧特性を測定する前記ストリングとの接続の有無を検出する接続検出機能、当該接続検出機能に基づいて前記ストリングとの接続を検出しているときに当該ストリングについての前記電流−電圧特性を測定すると共に当該測定の時点でのストリング番号を当該測定した電流−電圧特性を示す前記測定データと共に出力する測定機能、および前記接続検出機能に基づいて前記ストリングとの接続が解除されたことを検出したときに前記ストリング番号をインクリメントまたはデクリメントするストリング番号更新機能を備え、前記表示部はタッチパネル機能を備え、前記処理部は、前記記憶処理において、前記測定部から出力される前記測定データおよびストリング番号を取得すると共に当該測定データを当該ストリング番号にも関連付けて記憶させ、前記バッチ表示処理において、前記複数のストリングの前記特性グラフを前記画面上に重ね合わせて表示させると共に当該特性グラフのうちの選択された１つを選択特性グラフとして他の特性グラフとは異なる選択区別用表示形態で表示させている状態のときに、前記タッチパネル機能によって前記画面上でのフリック操作を検出したときには、当該検出したフリック操作の方向に応じて、前記選択特性グラフに関連付けられている前記ストリング番号をインクリメントまたはデクリメントして得られる新たなストリング番号に関連付けられている前記特性グラフを新たな前記選択特性グラフとして前記選択区別用表示形態で表示させる。
【００１３】
請求項６記載の太陽電池特性測定装置は、請求項１から５のいずれかに記載の太陽電池特性測定装置において、前記処理部は、前記表示処理としてのリアルタイム表示処理においては、１つの前記接続箱に接続されている前記複数のストリングについての前記測定データを前記測定部から取得する都度、当該測定データに基づき新たな前記特性グラフを最新の特性グラフであることを示す最新区別用表示形態で表示させると共に既に表示されている他の前記特性グラフを当該最新区別用表示形態とは異なる表示形態で表示させる。
【００１４】
請求項７記載の太陽電池特性測定装置は、請求項１から６のいずれかに記載の太陽電池特性測定装置において、前記記憶部には、前記測定データに基づいて当該測定データに対応する前記ストリングが正常状態であるか異常状態であるかを判別するための判定データが記憶され、前記処理部は、前記表示処理において、前記判定データに基づいて異常状態であると判別した前記ストリングについての前記特性グラフを異常であることを示す異常区別用表示形態で表示させる。
【発明の効果】
【００１５】
請求項１記載の太陽電池特性測定装置では、処理部は、記憶処理において、測定部から取得したストリングについての測定データをストリングが接続されている接続箱を示す箱識別情報に関連付けて記憶部に記憶させ、表示処理としてのバッチ表示処理においては、操作部から出力された箱指定情報で指定された接続箱を示す箱識別情報に関連付けられているすべてのストリングについての測定データを読み出しこれに基づいてストリングの特性グラフを重ね合わせて表示させる。
【００１６】
したがって、この太陽電池特性測定装置によれば、複数の接続箱に接続されている各ストリングについての測定データを箱識別情報を用いて接続箱毎に識別（指定）可能な状態で記憶することができ、また、これにより、操作部から出力された箱指定情報で指定された接続箱を示す箱識別情報に関連付けられているすべてのストリングについての測定データを読み出せることから、この箱指定情報で指定された接続箱に接続されているストリングについての電流−電圧特性を重ね合わせて表示させることができる。
【００１７】
また、請求項２記載の太陽電池特性測定装置によれば、箱識別情報としての箱番号が自動的にインクリメントされるため、測定対象のストリングが接続されている接続箱を変更する都度、作業者が箱番号を手動で設定（入力）する構成とは異なり、ストリングの電流−電圧特性の測定に際しての作業者の手間を大幅に省くことができると共に、箱番号の誤入力を回避することができる。
【００１８】
また、請求項３記載の太陽電池特性測定装置によれば、記憶部に記憶されている複数の接続箱にそれぞれ接続されている複数のストリングについての測定データの中から、箱識別情報と共に設置場所についても指定して１つの接続箱に接続されている各ストリングについての測定データを読み出すと共に、この測定データに基づいて各ストリングについての特性グラフを画面上に重ね合わせて表示させることができる。これにより、この特性測定装置によれば、各ストリングについての測定データを、接続箱単位で、かつ接続箱の設置場所毎に分けて収集（管理）することもできる。
【００１９】
また、請求項４記載の太陽電池特性測定装置によれば、記憶部に記憶されている複数の接続箱にそれぞれ接続されている複数のストリングについての測定データの中から、箱識別情報と共に測定の日付についても指定して１つの接続箱に接続されている各ストリングについての測定データを読み出すと共に、この測定データに基づいて各ストリングについての特性グラフを画面上に重ね合わせて表示させることができる。これにより、この特性測定装置によれば、各ストリングについての測定データを、接続箱単位で、かつ測定の日付毎に分けて収集（管理）することもできる。
【００２０】
また、請求項５記載の太陽電池特性測定装置によれば、指定した１つの接続箱についての複数のストリングについての特性グラフを画面上に重ね合わせて表示させ、かつ選択特性グラフを選択区別用表示形態で表示させている状態において、簡易なフリック操作に基づき、この選択特性グラフを変更することができるため、例えば、この選択特性グラフについての測定パラメータを画面上に表示させる構成を採用しているときに、任意の特性グラフについての測定パラメータを容易な操作で画面上に表示させて確認することができる。
【００２１】
また、請求項６記載の太陽電池特性測定装置によれば、現在、電流−電圧特性を測定しているストリングについての特性グラフをリアルタイムで、しかも既に測定されたストリングの特性グラフと明確に区別した状態で比較することができる。
【００２２】
また、請求項７記載の太陽電池特性測定装置によれば、接続箱に接続されている複数のストリングが正常であるか異常であるかを、画面上に表示されている表示内容（特性グラフの表示形態）に基づいて、目視にて個別に判定することができる。
【図面の簡単な説明】
【００２３】
【図１】太陽電池特性測定装置１および太陽電池ストリング１２の各構成図である。
【図２】太陽電池アレイ１１および接続箱１３の各構成図である。
【図３】画面ＳＣ上に表示された測定画面の表示内容を説明するための説明図である。
【図４】画面ＳＣ上に表示されたデータ閲覧画面の表示内容を説明するための説明図である。
【図５】記憶部４に記憶される測定データＤｉｖと、それに関連付けられる場所情報Ｄｐ、箱番号Ｎｂ、ストリング番号Ｎｓおよび日付情報Ｄｔとの関係を説明するための説明図である。
【図６】記憶部４に記憶される測定データＤｉｖと、それに関連付けられる場所情報Ｄｐ、箱番号Ｎｂ、ストリング番号Ｎｓおよび日付情報Ｄｔとの関係を説明するための他の説明図である。
【図７】記憶部４に記憶される測定データＤｉｖと、それに関連付けられる場所情報Ｄｐ、箱番号Ｎｂ、ストリング番号Ｎｓおよび日付情報Ｄｔとの関係を説明するための他の説明図である。
【図８】記憶部４に記憶される測定データＤｉｖと、それに関連付けられる場所情報Ｄｐ、箱番号Ｎｂ、ストリング番号Ｎｓおよび日付情報Ｄｔとの関係を説明するための他の説明図である。
【図９】画面ＳＣ上に表示されたデータ閲覧画面の表示内容を説明するための他の説明図である。
【発明を実施するための形態】
【００２４】
以下、太陽電池特性測定装置の実施の形態について、添付図面を参照して説明する。
【００２５】
最初に、太陽電池特性測定装置の構成について、図面を参照して説明する。
【００２６】
まず、図１に示す太陽電池特性測定装置としての太陽電池特性測定装置１の構成について説明する。
【００２７】
太陽電池特性測定装置（以下、「特性測定装置」ともいう）１は、測定部２、処理部３，記憶部４、表示部５、操作部６および時計部７を備えて、後述の太陽電池アレイ１１を構成する複数の太陽電池ストリング（以下、「ストリング」ともいう）１２を測定対象として、各ストリング１２の電流−電圧特性を測定して記憶する。
【００２８】
ここで、特性測定装置１の各構成要素についての具体的な説明の前に、ストリング１２の概要について説明する。ストリング１２は、例えば、ビルや住宅などの建物に設置されている図２に示すような太陽電池アレイ１１の構成単位であり、複数個で１つの太陽光発電装置に含まれる１つの太陽電池アレイ１１を構成している。また、複数のストリング１２は、例えば、接続箱１３内において、ブロッキングダイオード１４を介して並列接続されている。また、各ストリング１２は、接続箱１３内に配設されたスイッチ１５により、他のストリング１２から切り離したり、並列接続状態に戻したりすることが可能になっている。また、本例では一例として、特性測定装置１が使用される太陽電池アレイ１１では、各接続箱１３にそれぞれ接続されているストリング１２の数は同数（Ｎｓ１）であるものとする。
【００２９】
また、ストリング１２は、図１，２に示すように、複数の太陽電池モジュール２１が直列接続されて構成され、さらに各太陽電池モジュール２１は、複数のクラスタ２２が直列接続されて構成されている。また、各クラスタ２２は、直列接続された複数の太陽電池セル（太陽電池）２３と、この直列接続された複数の太陽電池セル２３における全体としての出力端子間（クラスタ２２の出力端子間）に接続されたバイパスダイオード２４とを備えて構成されている。このように構成されたストリング１２は、発電状態において、直流電流Ｉ（以下、電流Ｉともいう）を出力する。
【００３０】
次いで、特性測定装置１の各構成要素について個別に説明する。測定部２は、一例として、一対の入力端子３１ａ，３１ｂ、負荷部３２、電流計３３、電圧計３４および演算制御部３５を備え、一対のプローブＰＬ１，ＰＬ２を介して接続された１つのストリング１２の電流−電圧特性を測定して、この測定した電流−電圧特性を示す測定データＤｉｖを処理部３に出力する。
【００３１】
負荷部３２は、一例として、図示はしないが、ゲート端子に印加されるゲート電圧Ｖｇの電圧値に応じてソース・ドレイン端子間の抵抗値を制御可能なＦＥＴ（電界効果型トランジスタ）で構成されて、軽負荷状態から重負荷状態までの間の任意の負荷状態に移行し得る電流ダミーロード（電子負荷）として機能する。なお、負荷部３２は、電流−電圧特性を測定可能である限り、電子負荷方式以外に、コンデンサ負荷方式など種々の公知の方式を採用することができる。電流計３３は、負荷部３２と直列接続された状態で入力端子３１ａ，３１ｂ間に接続されて、負荷部３２に流れる電流（つまり、入力端子３１ａ，３１ｂ間に流れる上記の電流Ｉ）の電流値Ｉ１を測定すると共に、この電流値Ｉ１を示す電流データＤｉを演算制御部３５に出力する。電圧計３４は、入力端子３１ａ，３１ｂ間に生じる電圧Ｖの電圧値Ｖ１を測定すると共に、この電圧値Ｖ１を示す電圧データＤｖを演算制御部３５に出力する。
【００３２】
演算制御部３５は、例えば、不図示のＣＰＵおよびメモリを備えて構成されて、接続検出機能、測定機能およびストリング番号更新機能を備えている。この接続検出機能とは、演算制御部３５が、負荷部３２を軽負荷状態に移行させている状態において電圧計３４から出力される電圧データＤｖで表される入力端子３１ａ，３１ｂ間の電圧Ｖ（プローブＰＬ１，ＰＬ２間の電圧）の電圧値Ｖ１を取得すると共に、この電圧値Ｖ１が予め規定された電圧しきい値以上であるか否かに基づき、電圧しきい値以上のときにはプローブＰＬ１，ＰＬ２がストリング１２に接続されていると検出し、一方、電圧しきい値未満のときにはプローブＰＬ１，ＰＬ２はストリング１２に接続されていないと検出する機能である。
【００３３】
また、測定機能とは、演算制御部３５が、処理部３から後述の特性測定指示Ｓ２を入力しているときであって、接続検出機能に基づいて測定部２がストリング１２と接続されている状態であることを検出しているときに、このストリング１２についての電流−電圧特性を測定すると共に、この電流−電圧特性を示す測定データＤｉｖを、この測定データＤｉｖの測定時点でのストリング番号Ｎｓと共に処理部３に出力する機能である。この電流−電圧特性の測定では、演算制御部３５は、負荷部３２に出力するゲート電圧Ｖｇの電圧値を制御することにより、負荷部３２を重負荷状態（ソース・ドレイン端子間の抵抗値が極めて小さい状態）から軽負荷状態（ソース・ドレイン端子間の抵抗値が極めて大きい状態）に段階的に移行させつつ、各段階において電流計３３から出力される電流データＤｉおよび電圧計３４から出力される電圧データＤｖを順次取得して記憶する。また、演算制御部３５は、最後の段階（軽負荷状態）での電流データＤｉおよび電圧データＤｖの取得および記憶が完了したときには、すべての段階での電流データＤｉおよび電圧データＤｖを、測定したストリング１２の測定データＤｉｖとしてストリング番号Ｎｓと共に処理部３に出力する。
【００３４】
また、ストリング番号更新機能とは、演算制御部３５が、一例として、ストリング番号Ｎｓの初期値を値１として、測定データＤｉｖと共に処理部３に出力するストリング番号Ｎｓをインクリメントして更新する機能である。具体的には、演算制御部３５が、接続されているストリング１２についての測定データＤｉｖを測定時点でのストリング番号Ｎｓと共に処理部３に出力した後、接続検出機能に基づいてストリング１２（電流−電圧特性の測定が完了したストリング１２）との接続の解除を検出したときに、現在のストリング番号Ｎｓをインクリメントする機能である。また、演算制御部３５は、このストリング番号Ｎｓについては、予め規定された規定数Ｎｓ１（１つの接続箱１３に接続されているストリング１２の個数）と同数のストリング番号Ｎｓ（＝Ｎｓ１）を測定データＤｉｖと共に処理部３に出力した後において、接続検出機能に基づいてストリング１２との接続の解除を検出したときに初期値（値１）にリセットする。
【００３５】
処理部３は、例えば、不図示のＣＰＵを備えて構成されて、測定部２に対する制御処理、箱識別情報を生成する箱識別情報生成処理、測定部２から出力される測定データＤｉｖの記憶処理、および記憶した測定データＤｉｖに基づいてこの測定データＤｉｖが測定されたストリング１２についての電流−電圧特性を示す特性グラフ（ＩＶカーブ）を表示部５の画面ＳＣ上に表示させる表示処理を実行する。
【００３６】
具体的には、処理部３は、制御処理については、表示部５の画面ＳＣ（後述するようにタッチパネル機能を備えて操作部６としても機能する）に対する操作が行われて、表示部５から後述する測定開始信号Ｓ１を入力したときに実行して、測定部２に対して特性測定指示Ｓ２を出力する。また、この制御処理では、処理部３は、後述するようにして、１つの接続箱１３に接続されているすべてのストリング１２（本例では上記したように、規定数Ｎｓ１のストリング１２）についての電流−電圧特性の測定が完了したことを検出したときに、測定部２に対する特性測定指示Ｓ２の出力を停止する。
【００３７】
また、処理部３は、箱識別情報生成処理では、接続箱１３に接続されている複数のストリング１２についての測定データＤｉｖを、接続箱１３単位でまとめて取り扱うための箱識別情報を生成する。本例では一例として、処理部３は、この箱識別情報生成処理において、箱識別情報としての箱番号Ｎｂを、初期値を値１として、１つの接続箱１３に接続されている複数（規定数Ｎｓ１）のストリング１２についての測定データＤｉｖの測定が完了する都度、値をインクリメントして生成する。この場合、処理部３は、測定データＤｉｖと共に測定部２から出力されるストリング番号Ｎｓが規定数Ｎｓ１に達したことを検出したときに、１つの接続箱１３に接続されているすべてのストリング１２についての測定データＤｉｖの測定が完了したと判別して箱番号Ｎｂをインクリメントする。
【００３８】
なお、箱番号Ｎｂの初期値はデフォルトでは上記したように値１であるが、後述するように画面ＳＣの表示内容が図３に示す測定画面に切り替えられている状態において、「測定開始」ボタンに対する操作が行われる前段階では、同じく画面ＳＣに表示されている「場所」の入力ボックス内への情報（例えば、「上田」などの場所を示す文字情報）や、「ボックスＮｏ」の入力ボックス内への情報（数値情報）の入力が可能になっており、その後に「測定開始」ボタンが操作されたときには、「場所」の入力ボックス内に入力されている情報は場所情報Ｄｐとして、また「ボックスＮｏ」の入力ボックス内に入力されている情報は箱番号Ｎｂの初期値として、測定開始信号Ｓ１と共に処理部３に出力される。
【００３９】
また、処理部３は、記憶処理では、測定部２から新たな測定データＤｉｖおよびストリング番号Ｎｓが出力される都度、これらを取得する。また、処理部３は、この取得した測定データＤｉｖおよびストリング番号Ｎｓを、これらを取得した時点での箱番号Ｎｂおよび日付情報Ｄｔ（時計部７から取得し得る情報）と、操作部６から測定開始信号Ｓ１を入力したときこの測定開始信号Ｓ１と共に操作部６から出力される場所情報Ｄｐとに関連付けて記憶部４に記憶させる。これにより、各ストリング１２についての測定データＤｉｖは、対応するストリング番号Ｎｓと共に、ストリング１２が接続されている箱番号Ｎｂ、ストリング１２の設置場所を示す場所情報Ｄｐ、および測定された日付を示す日付情報Ｄｔと関連付けされて記憶される。
【００４０】
また、処理部３は、表示処理として、リアルタイム表示処理およびバッチ表示処理を実行する。処理部３は、リアルタイム表示処理については、１つの接続箱１３に接続されている各ストリング１２についての測定データＤｉｖの測定中に実行する。このリアルタイム表示処理では、処理部３は、測定部２から新たな測定データＤｉｖを取得する都度、これを表示部５に出力する。表示部５は、図３に示すような測定画面に画面ＳＣの表示内容が切り替えられている状態においてこの測定データＤｉｖを取得（入力）して、この測定データＤｉｖで表される電流−電圧特性を示す特性グラフを画面ＳＣ上に表示させた１つのＩＶ座標空間ＡＲ（例えば、電圧値を横軸とし、電流値を縦軸とする直交座標空間）内に重ね合わせて表示する。この際に、処理部３は、表示部５に対して、最新の測定データＤｉｖに基づく最新の特性グラフについては最新区別用表示形態（最新の特性グラフであることを示すための表示形態）で表示させ、他の特性グラフについてはこの最新区別用表示形態とは異なる表示形態（最新の特性グラフと区別し得る表示形態）で表示させる。例えば、本例では、最新の特性グラフは最新区別用表示形態として特定色（例えば青色）で表示させ、他の特性グラフについては特定色以外の表示色（例えば灰色）で表示させるが、このように表示色を異なるものとする構成以外に、例えば線種を異なるものとする構成（例えば、実線と破線や、実線と一点鎖線などを使用して区別する構成や、線の太さを異ならせて区別する構成）など、さまざまな構成を採用することができる。
【００４１】
この構成により、例えば、図３に示すように、ＩＶ座標空間ＡＲ内に４つの特性グラフＧ１，Ｇ２，Ｇ３，Ｇ４がこの順に表示されたときに、他の特性グラフＧ１，Ｇ２，Ｇ３の表示形態（同図では一点鎖線での表示形態）と異なる最新区別用表示形態（同図では太実線での表示形態）で表示されている特性グラフＧ４が最新の特性グラフであることが明確に識別可能となる。また、図示はしないが、さらに次の特性グラフが表示されたときには、この特性グラフが最新区別用表示形態で表示され、それまで最新区別用表示形態で表示されていた特性グラフＧ４は、特性グラフＧ１〜Ｇ３と同じ表示形態に変更して表示される。また、本例では、処理部３は、リアルタイム表示処理において、測定データＤｉｖと共に、この測定データＤｉｖに関連付けされている（対応する）ストリング番号Ｎｓおよび箱番号Ｎｂについても表示部５に出力して、図３に示すように画面ＳＣに表示させる構成を採用しているが、ストリング番号Ｎｓおよび箱番号Ｎｂのいずれか一方のみを表示させる構成や、いずれも表示させない構成としてもよい。
【００４２】
また、処理部３は、バッチ表示処理については、表示部５の画面ＳＣに対する操作が行われて、操作部６として機能する表示部５から閲覧開始信号Ｓ３と共に、箱指定情報としての箱指定番号ＳＮｂ、日付指定情報ＳＤｔおよび場所指定情報ＳＤｐが出力されたときに実行する。この場合、箱指定情報とは、閲覧対象とする測定データＤｉｖに関連付けられた接続箱１３を示す箱識別情報を指定するための情報であり、本例では、各接続箱１３の箱識別情報は箱番号Ｎｂであるため、箱指定情報としてこの箱番号Ｎｂを指定するための箱指定番号ＳＮｂが用いられている。また、日付指定情報ＳＤｔとは、閲覧対象とする測定データＤｉｖに関連付けられた日付情報Ｄｔを指定するための情報であり、場所指定情報ＳＤｐとは、閲覧対象とする測定データＤｉｖに関連付けられた場所情報Ｄｐを指定するための情報である。なお、箱識別情報として上記の箱番号Ｎｂに代えて、符号（例えば、アルファベットや、アルファベットと数字の組み合わせ）を使用する構成を採用することもでき、この場合には、箱指定情報も同様にして符号を使用する構成を採用する。
【００４３】
このバッチ表示処理では、処理部３は、表示部５からの閲覧開始信号Ｓ３の出力を検出したときには、まず、閲覧開始信号Ｓ３と共に出力された箱指定番号ＳＮｂ、日付指定情報ＳＤｔおよび場所指定情報ＳＤｐを取得する。次いで、処理部３は、記憶部４に記憶されている各測定データＤｉｖに関連付けられている箱番号Ｎｂ、日付情報Ｄｔおよび場所情報Ｄｐを検索して、この箱番号Ｎｂが上記の箱指定番号ＳＮｂと、またこの日付情報Ｄｔが上記の日付指定情報ＳＤｔと、またこの場所情報Ｄｐが上記の場所指定情報ＳＤｐとそれぞれ一致する（同じになる）測定データＤｉｖを閲覧対象の測定データＤｉｖとして特定して、対応するストリング番号Ｎｓと共にすべて読み出す。これにより、日付指定情報ＳＤｔで示される日に、場所指定情報ＳＤｐで示される場所で、かつ箱指定番号ＳＮｂで示される接続箱１３に接続されている規定数Ｎｓ１のストリング１２についての測定データＤｉｖがストリング番号Ｎｓと共に閲覧対象の測定データＤｉｖとしてすべて読み出される。
【００４４】
次いで、処理部３は、このようにして読み出した閲覧対象の測定データＤｉｖを表示部５に出力する。表示部５は、図４，９に示すようなデータ閲覧画面に画面ＳＣの表示内容が切り替えられている状態においてこの閲覧対象の測定データＤｉｖを取得（入力）して、この閲覧対象の測定データＤｉｖで表される電流−電圧特性を示す特性グラフを図４，９に示すように画面ＳＣ上に表示させた１つのＩＶ座標空間ＡＲ内に重ね合わせて表示する。
【００４５】
この際に、処理部３は、表示部５に対して、初期状態では、ストリング番号Ｎｓの最も小さい（つまり、ストリング番号Ｎｓが値１の）特性グラフを選択された選択特性グラフとして、他の特性グラフとは異なる選択区別用表示形態で表示部５に対して表示させる。例えば、本例の表示部５は、選択特性グラフは選択区別用表示形態として特定色（例えば緑色）で表示させ、それ以外の特性グラフについては特定色以外の表示色（例えば灰色）で表示させる。なお、このように表示色を異なるものとする構成以外に、例えば線種を異なるものとする構成など、さまざまな構成を採用して特性グラフを表示させることができる。また、処理部３は、本例では一例として、選択特性グラフについては、図示はしないが、その曲線因子（fill factor (FF)）や、短絡電流値Ｉｓｃや、開放電圧Ｖｏｃなどの測定パラメータを演算して、データ閲覧画面に表示させる。なお、この測定パラメータについては、表示させない構成とすることもできる。
【００４６】
また、表示部５は、データ閲覧画面の表示状態において、タッチパネル機能を備えた画面ＳＣに対するフリック操作が行われたときには、その都度、フリック操作の方向を示す方向情報（本例では一例として、図４，９において右方向か左方向かを示す情報）を処理部３に出力する。処理部３は、この方向情報を入力したときには、この方向情報で示される方向に基づいて選択特性グラフを変更して表示部５に表示させる。例えば、処理部３は、右方向の情報を入力したときには、現在の選択特性グラフに対応するストリング番号Ｎｓをインクリメントして得られるストリング番号Ｎｓに対応する特性グラフを新たな選択特性グラフとし、一方、左方向の情報を入力したときには、現在の選択特性グラフに対応するストリング番号Ｎｓをデクリメントして得られるストリング番号Ｎｓに対応する特性グラフを新たな選択特性グラフとして、表示部５に表示させる。これにより、重ね合わせて表示されている複数の特性グラフの中から１つを任意に選択特性グラフとして選択して、この特性グラフの測定パラメータなどを確認することが可能となる。
【００４７】
なお、処理部３は、現在の選択特性グラフに対応するストリング番号Ｎｓが最も大きい値のときに右方向の情報を入力したときには、ストリング番号Ｎｓを変更せずに現在の選択特性グラフを維持するようにしてもよいし、ストリング番号Ｎｓを最も小さい値に変更してこの新たなストリング番号Ｎｓ（値１）に対応する特性グラフを新たな選択特性グラフとしてもよい。また、処理部３は、現在の選択特性グラフに対応するストリング番号Ｎｓが最も小さい値のときに左方向の情報を入力したときには、ストリング番号Ｎｓを変更せずに現在の選択特性グラフを維持するようにしてもよいし、ストリング番号Ｎｓを最も大きい値に変更してこの新たなストリング番号Ｎｓに対応する特性グラフを新たな選択特性グラフとしてもよい。
【００４８】
記憶部４は、例えば、ＲＡＭなどの半導体メモリやハードディスク装置などで構成されて、処理部３についての動作プログラムが予め記憶されると共に、測定データＤｉｖ、ストリング番号Ｎｓ、箱番号Ｎｂ、日付情報Ｄｔおよび場所情報Ｄｐが記憶される。
【００４９】
表示部５は、例えば、画面ＳＣがタッチパネル機能を備えたディスプレイ装置（液晶ディスプレイ装置など）で構成されている。操作部６は、上記のようにタッチパネル機能を備えた表示部５の画面ＳＣで構成されている。この表示部５は、処理部３と有線伝送路で接続されたディスプレイ装置であってもよいし、無線伝送路で接続されたディスプレイ装置（タブレット端末など）であってもよい。また、表示部５は、画面ＳＣに対する操作内容に応じて、処理部３により、画面ＳＣの表示内容が図３に示す測定画面または図４，９に示すデータ閲覧画面に切り替えられる。
【００５０】
また、表示部５は、画面ＳＣの表示内容が図３に示す測定画面に切り替えられている状態であって、かつ画面ＳＣに表示されている「場所」の入力ボックス内に場所情報Ｄｐ（同図では、一例として「上田」の文字情報）が入力されている状態において、画面ＳＣに表示されている「測定開始」ボタンが操作されたときには、測定開始信号Ｓ１を場所情報Ｄｐと共に処理部３に出力する。この際に、表示部５は、画面ＳＣに表示されている「ボックスＮｏ」の入力ボックス内に情報（数値）が入力されているときには、この情報を箱番号Ｎｂの初期値として測定開始信号Ｓ１および場所情報Ｄｐと共に処理部３に出力する。また、表示部５は、画面ＳＣの表示内容が図４，９に示すデータ閲覧画面に切り替えられている状態であって、画面ＳＣに表示されている「場所」の入力ボックス内に場所指定情報ＳＤｐ（同図では、一例として「上田」の文字情報）が入力され、「ボックスＮｏ」の入力ボックス内に箱指定番号ＳＮｂ（同図では、一例として値１０の数値情報）が入力され、かつ「日付」の入力ボックス内に日付指定情報ＳＤｔ（同図では、一例として２０１６／０５／２１の文字情報）が入力されている状態において、画面ＳＣに表示されている「表示開始」ボタンが操作されたときには、閲覧開始信号Ｓ３を、箱指定番号ＳＮｂ、日付指定情報ＳＤｔおよび場所指定情報ＳＤｐと共に処理部３に出力する。なお、操作部６については、タッチパネル機能を備えた画面とする構成に限定されず、キーボードなどの他の入力装置で構成することもできる。
【００５１】
時計部７は、例えば、リアルタイムクロックＩＣなどを有して構成されて、現在の日付を示す日付情報Ｄｔを生成して処理部３に出力する。
【００５２】
次に、特性測定装置１を用いて、複数の場所に設置された複数の接続箱１３に接続されている複数のストリング１２の電流−電圧特性を測定すると共に、この測定した電流−電圧特性を接続箱１３単位で閲覧する際の特性測定装置１の動作について説明する。なお、各ストリング１２は、太陽光を受けて光起電力を発生させているものとする。また、一例として、上田市に設置された２０個の接続箱１３を８個と１２個の２つに分けて異なる日に、それぞれに接続されているストリング１２についての測定を実施し、また小諸市に設置された１１個の接続箱１３については同じ日に、それぞれに接続されているストリング１２についての測定を実施するものとする。
【００５３】
最初に、複数の場所に設置された複数の接続箱１３に接続されている複数のストリング１２の電流−電圧特性を測定する際の特性測定装置１の動作について説明する。
【００５４】
まず、上田市に設置された８個の接続箱１３に接続されているストリング１２についての測定を実施する際には、作業者は、まず、８個の接続箱１３のうちの１つ目の接続箱１３の設置場所において、表示部５の画面ＳＣに対する操作を実行して、画面ＳＣの表示内容を図３に示すような測定画面に切り替える。次いで、表示部５の画面ＳＣに対する操作を実行して、画面ＳＣに表示されている「場所」の入力ボックス内に場所情報Ｄｐ（この例では「上田」の文字情報）を入力し、かつ「ボックスＮｏ」の入力ボックス内に箱番号Ｎｂの初期値である値１を入力して、画面ＳＣに表示されている「測定開始」ボタンを操作する。これにより、操作部６として機能する表示部５は、測定開始信号Ｓ１を、場所情報Ｄｐ（「上田」）および箱番号Ｎｂの初期値（この場合は、デフォルトの値１）と共に処理部３に出力する。
【００５５】
処理部３は、この測定開始信号Ｓ１の出力を検出して制御処理を実行する。この制御処理では、処理部３は、まず、測定部２に対して特性測定指示Ｓ２を出力し、次いで、１つの接続箱１３に接続されている規定数Ｎｓ１のストリング１２についての電流−電圧特性の測定が完了したか否かの検出を開始する。この場合、処理部３は、後述するように、１つの接続箱１３に接続されている規定数Ｎｓ１のストリング１２についての電流−電圧特性の測定が完了していないことを検出しているときには、特性測定指示Ｓ２の出力を継続し、一方、測定が完了したことを検出したときには、特性測定指示Ｓ２の出力を停止する。
【００５６】
測定部２では、演算制御部３５が、特性測定指示Ｓ２が処理部３から出力されていることを検出し、この状態において、接続検出機能に基づき、プローブＰＬ１，ＰＬ２がストリング１２に接続されたか否か（図１に示すように、プローブＰＬ１がストリング１２の正極Ｐ１に接続され、かつプローブＰＬ２がストリング１２の負極Ｐ２に接続されたか否か）の検出を実行する。
【００５７】
この状態において、作業者は、１つ目の接続箱１３の蓋を開けて、この接続箱１３に接続されている規定数Ｎｓ１のストリング１２のうちの１つを測定対象のストリング１２として、対応するスイッチ１５を操作して他のストリング１２から切り離すと共に、プローブＰＬ１，ＰＬ２をその正極Ｐ１および負極Ｐ２に接続する。
【００５８】
これにより、測定部２では、演算制御部３５が、特性測定指示Ｓ２の入力状態において、プローブＰＬ１，ＰＬ２のストリング１２への接続を接続検出機能に基づき検出することで、測定機能に基づき、このストリング１２の電流−電圧特性を測定すると共に、この電流−電圧特性を示す測定データＤｉｖを、この測定データＤｉｖの測定時点でのストリング番号Ｎｓ（この場合、この日のこの場所での最初のストリング１２であるため、初期値１）と共に処理部３に出力する。
【００５９】
この測定データＤｉｖおよびストリング番号Ｎｓを入力した処理部３は、記憶処理を実行して、この測定データＤｉｖを、このストリング番号Ｎｓ、箱識別情報としての箱番号Ｎｂ（この場合、操作部６から出力された箱番号Ｎｂの初期値はデフォルトの値１であるため、この値１）、時計部７から取得した本日の日付情報Ｄｔ（例えば、２０１６年５月２０日）、および操作部６としての表示部５から取得（入力）した場所情報Ｄｐ（「上田」）に関連付けて、記憶部４に記憶させる。
【００６０】
また、処理部３は、この１つの接続箱１３に接続されている各ストリング１２についての測定データＤｉｖの測定中にリアルタイム表示処理を実行して、この測定された測定データＤｉｖと、これに関連付けられた箱番号Ｎｂおよびストリング番号Ｎｓを表示部５に出力して、測定データＤｉｖで表される特性グラフ（ＩＶカーブ）を画面ＳＣ上のＩＶ座標空間ＡＲ内に表示させると共に、画面ＳＣ上の「ボックスＮｏ」の表示ボックス内に箱番号Ｎｂを表示させ、かつ画面ＳＣ上の「ストリングＮｏ」の表示ボックス内にストリング番号Ｎｓを表示させる。したがって、作業者は、この表示部５の画面ＳＣに表示される表示内容に基づいて、現在、プローブＰＬ１，ＰＬ２を接続して電流−電圧特性を測定しているストリング１２（画面ＳＣに表示されている箱番号Ｎｂの接続箱１３に接続されているストリング番号Ｎｓのストリング１２）についての電流−電圧特性をリアルタイムで確認（視認）することが可能となっている。
【００６１】
また、処理部３は、箱識別情報生成処理を実行して、測定部２から測定データＤｉｖと共に取得したストリング番号Ｎｓが規定数Ｎｓ１に達したか否かを検出し、規定数Ｎｓ１に達したことを検出したときには、現在の接続箱１３に接続されているすべてのストリング１２についての測定データＤｉｖの測定が完了したと判別して箱番号Ｎｂをインクリメントすると共に、測定部２への特性測定指示Ｓ２の出力を停止する。この場合、ストリング番号Ｎｓは値１であり、規定数Ｎｓ１に達していないため、処理部３は、箱番号Ｎｂのインクリメントは実施せず、また測定部２への特性測定指示Ｓ２の出力を継続する。
【００６２】
作業者は、現在の測定対象であるストリング１２の測定が完了したことで、このストリング１２からプローブＰＬ１，ＰＬ２を離す。測定部２では、演算制御部３５が、測定データＤｉｖの処理部３への出力後において、プローブＰＬ１，ＰＬ２がストリング１２から離れたこと（接続が解除されたこと）を接続検出機能に基づいて検出するため、ストリング番号更新機能により、現在のストリング番号Ｎｓをインクリメントする。作業者は、プローブＰＬ１，ＰＬ２を離した後に、測定が完了したストリング１２に対応するスイッチ１５を操作して他のストリング１２との並列接続状態に戻すと共に、未測定のストリング１２のうちの１つを新たな測定対象のストリング１２として、対応するスイッチ１５を操作して他のストリング１２から切り離すと共に、プローブＰＬ１，ＰＬ２を接続する。
【００６３】
この後、特性測定装置１では、測定部２および処理部３が、上記した最初のストリング１２についての測定データＤｉｖの測定のときと同様に動作して、２番目、３番目、・・・、というように現在の接続箱１３に接続されているストリング１２についての測定データＤｉｖの測定およびこの測定データＤｉｖで表される特性グラフ（ＩＶカーブ）等の画面ＳＣ上への表示を順次実行する。これにより、記憶部４には、現在の接続箱１３に接続されている各ストリング１２についての測定データＤｉｖが、そのストリング番号Ｎｓ、同じ箱番号Ｎｂ、同じ日付情報Ｄｔおよび同じ場所情報Ｄｐに関連付けされて記憶される。また、表示部５の画面ＳＣ上のＩＶ座標空間ＡＲ内には、各ストリング１２についての特性グラフが重ね合わされた状態で表示される。この際に、処理部３は、表示部５に対して、最新の測定データＤｉｖに基づく最新の特性グラフについては最新区別用表示形態で表示させ、他の特性グラフについてはこの最新区別用表示形態とは異なる表示形態で表示させる。また、画面ＳＣ上の「ストリングＮｏ」の表示ボックス内には、この最新の特性グラフに対応するストリング１２のストリング番号Ｎｓが表示される。したがって、作業者は、表示部５の画面ＳＣの表示内容を視認することにより、測定が完了した直後のストリング１２についての特性グラフ（つまり、最新の特性グラフ）を確認しつつ、このストリング１２が現在の接続箱１３に接続されている規定数Ｎｓ１のストリング１２のうちの何番目のストリング１２であるかを確認することが可能となっている。
【００６４】
また、処理部３は、規定数Ｎｓ１番目のストリング１２についての測定データＤｉｖの測定およびこの測定データＤｉｖで表される特性グラフ（ＩＶカーブ）等の画面ＳＣ上への表示を実行したときには、その後に実行する箱識別情報生成処理において、測定部２から測定データＤｉｖと共に取得したストリング番号Ｎｓが規定数Ｎｓ１に達したことを検出し、これにより、現在の接続箱１３に接続されているすべてのストリング１２についての測定データＤｉｖの測定が完了したと判別して箱番号Ｎｂをインクリメントすると共に、測定部２への特性測定指示Ｓ２の出力を停止する。
【００６５】
作業者は、現在の接続箱１３に接続されているすべての（規定数Ｎｓ１の）ストリング１２についての電流−電圧特性の測定が完了したことで、このストリング１２からプローブＰＬ１，ＰＬ２を離し、対応するスイッチ１５を操作して他のストリング１２との並列接続状態に戻した後に、この接続箱１３の蓋を閉める。測定部２では、演算制御部３５は、プローブＰＬ１，ＰＬ２がストリング１２から離れたこと（接続が解除されたこと）を接続検出機能に基づいて検出するが、処理部３からの特性測定指示Ｓ２の出力が停止されているため、ストリング番号更新機能によるストリング番号Ｎｓのインクリメントは実施しない。
【００６６】
その後、作業者は、同じ日に、８個の接続箱１３のうちの残りの接続箱１３の設置場所に移動しながら、上記した１つ目の接続箱１３のときと同様にして、各接続箱１３に接続されている規定数Ｎｓ１のストリング１２についての電流−電圧特性の測定を実行する。この同じ場所（上田）に設置されている８個の接続箱１３にそれぞれ接続されている規定数Ｎｓ１のストリング１２についての電流−電圧特性の測定を同じ日（２０１６年５月２０日）に実施した時点で、記憶部４には、図５に示すように、８個の接続箱１３にそれぞれ接続されている規定数Ｎｓ１のストリング１２についての電流−電圧特性を示す測定データＤｉｖが、場所情報Ｄｐ（「上田」）、箱番号Ｎｂ（値１から値８までの整数）、ストリング番号Ｎｓ（値１から値Ｎｓ１までの整数）、および日付情報Ｄｔ（２０１６年５月２０日）に関連付けられて記憶される。
【００６７】
次に、別の日（２０１６年５月２１日）に、作業者は、上田市に設置されている２０個の接続箱１３のうちの他の１２個の接続箱１３に接続されているストリング１２についての測定を実施する。この際には、作業者は、まず、この１２個の接続箱１３のうちの１つ目の接続箱１３の設置場所において、表示部５の画面ＳＣに対する操作を実行して、画面ＳＣの表示内容を図３に示すような測定画面に切り替える。次いで、表示部５の画面ＳＣに対する操作を実行して、画面ＳＣに表示されている「場所」の入力ボックス内に場所情報Ｄｐ（この例では「上田」の文字情報）を入力し、かつ「ボックスＮｏ」の入力ボックス内に入力されている箱番号Ｎｂの初期値である値１を値９に設定し直して、画面ＳＣに表示されている「測定開始」ボタンを操作する。これにより、操作部６として機能する表示部５は、測定開始信号Ｓ１を、場所情報Ｄｐ（「上田」）および箱番号Ｎｂの初期値（この場合は、値９）と共に処理部３に出力する。なお、箱番号Ｎｂの初期値をデフォルトの値１から値９に設定し直す理由は、上記したように、同じ場所（上田）に設置されている別の８個の接続箱１３に接続されているストリング１２についての測定が完了しており、この日の最初の接続箱１３は同じ場所での９番目の接続箱１３だからである。
【００６８】
その後、作業者は、上記した先の日に実施した８個の接続箱１３にそれぞれ接続されている規定数Ｎｓ１のストリング１２についての電流−電圧特性の測定のときと同様にして、１２個の接続箱１３にそれぞれ接続されている規定数Ｎｓ１のストリング１２についての電流−電圧特性の測定を実施する。
【００６９】
これにより、この１２個の接続箱１３にそれぞれ接続されている規定数Ｎｓ１のストリング１２についての電流−電圧特性の測定を同じ日（２０１６年５月２１日）に実施した時点で、記憶部４には、図６に示すように、１２個の接続箱１３にそれぞれ接続されている規定数Ｎｓ１のストリング１２についての電流−電圧特性を示す測定データＤｉｖが、場所情報Ｄｐ（「上田」）、箱番号Ｎｂ（値９から値２０までの整数）、ストリング番号Ｎｓ（値１から値Ｎｓ１までの整数）、および日付情報Ｄｔ（２０１６年５月２１日）に関連付けられて記憶される。
【００７０】
続いて、別の日（２０１６年５月２２日）に、作業者は、小諸市に設置されている１１個の接続箱１３に接続されているストリング１２についての測定を実施する。この際には、作業者は、まず、この１１個の接続箱１３のうちの１つ目の接続箱１３の設置場所において、表示部５の画面ＳＣに対する操作を実行して、画面ＳＣの表示内容を図３に示すような測定画面に切り替える。次いで、表示部５の画面ＳＣに対する操作を実行して、画面ＳＣに表示されている「場所」の入力ボックス内に場所情報Ｄｐ（この例では「小諸」の文字情報）を入力し、かつ「ボックスＮｏ」の入力ボックス内に入力されている箱番号Ｎｂの初期値である値１はそのままにして、画面ＳＣに表示されている「測定開始」ボタンを操作する。これにより、操作部６として機能する表示部５は、測定開始信号Ｓ１を、場所情報Ｄｐ（「小諸」）および箱番号Ｎｂの初期値（この場合は、値１）と共に処理部３に出力する。なお、箱番号Ｎｂの初期値をデフォルトの値１のままにする理由は、同じ場所（小諸）に設置されている１１個の接続箱１３に接続されているストリング１２についての測定を、１つ目の接続箱１３から実施するためである。
【００７１】
その後、作業者は、上記した先の日に上田において実施した８個の接続箱１３にそれぞれ接続されている規定数Ｎｓ１のストリング１２についての電流−電圧特性の測定のときと同様にして、１１個の接続箱１３にそれぞれ接続されている規定数Ｎｓ１のストリング１２についての電流−電圧特性の測定を実施する。
【００７２】
これにより、この１１個の接続箱１３にそれぞれ接続されている規定数Ｎｓ１のストリング１２についての電流−電圧特性の測定を同じ日（２０１６年５月２２日）に実施した時点で、記憶部４には、図７に示すように、１１個の接続箱１３にそれぞれ接続されている規定数Ｎｓ１のストリング１２についての電流−電圧特性を示す測定データＤｉｖが、場所情報Ｄｐ（「小諸」）、箱番号Ｎｂ（値１から値１１までの整数）、ストリング番号Ｎｓ（値１から値Ｎｓ１までの整数）、および日付情報Ｄｔ（２０１６年５月２２日）に関連付けられて記憶される。
【００７３】
このように、この特性測定装置１では、１つの接続箱１３に接続されている規定数Ｎｓ１のストリング１２についての電流−電圧特性の測定を実施する際に、ストリング１２についての識別情報であるストリング番号Ｎｓが自動的にインクリメントされるため、測定対象のストリング１２を変更する都度、ストリング番号Ｎｓを作業者が手動で設定する構成とは異なり、電流−電圧特性の測定に際しての作業者の手間を大幅に省くことが可能となっている。さらに、この特性測定装置１では、１つの接続箱１３に接続されている規定数Ｎｓ１のストリング１２についての電流−電圧特性の測定が完了する都度、接続箱１３の箱番号Ｎｂについても自動的にインクリメントされ、次の接続箱１３に接続されている規定数Ｎｓ１のストリング１２についての電流−電圧特性の測定が完了したときに、この規定数Ｎｓ１のストリング１２の各測定データＤｉｖにこのインクリメントされた箱番号Ｎｂが関連付けられて、記憶部４に記憶される。つまり、この特性測定装置１では、複数の接続箱１３にそれぞれ接続されている規定数Ｎｓ１のストリング１２についての測定データＤｉｖが、接続箱１３単位で識別（指定）可能な状態で記憶部４に記憶可能となっている。また、この特性測定装置１では、このようにして箱番号Ｎｂが自動的にインクリメントされるため、測定対象のストリング１２が接続されている接続箱１３を変更する都度、箱番号Ｎｂを作業者が手動で設定（入力）する構成とは異なり、電流−電圧特性の測定に際しての作業者の手間を大幅に省くことが可能となっている。
【００７４】
次に、上記したようにして測定した上田市内の２０個の接続箱１３にそれぞれ接続されている規定数Ｎｓ１のストリング１２、および小諸市内の１１個の接続箱１３にそれぞれ接続されている規定数Ｎｓ１のストリング１２についての電流−電圧特性を、接続箱１３単位で閲覧する際の特性測定装置１の動作について説明する。
【００７５】
まず、作業者は、表示部５の画面ＳＣに対する操作を実行して、画面ＳＣの表示内容を図４に示すようなデータ閲覧画面に切り替える。次いで、表示部５の画面ＳＣに対する操作を実行して、画面ＳＣに表示されている「場所」の入力ボックス内に場所指定情報ＳＤｐ（閲覧したいストリング１２の設置場所（接続箱１３の設置場所でもある）を示す場所情報Ｄｐ）を入力し、「ボックスＮｏ」の入力ボックス内に箱指定番号ＳＮｂ（閲覧したいストリング１２が接続された接続箱１３の箱番号Ｎｂ）を入力し、かつ「日付」の入力ボックス内に日付指定情報ＳＤｔ（閲覧したいストリング１２についての電流−電圧特性の測定が実施された日付を示す日付情報Ｄｔ）を入力して、画面ＳＣに表示されている「表示開始」ボタンを操作する。これにより、操作部６として機能する表示部５は、閲覧開始信号Ｓ３と共に、箱指定番号ＳＮｂ、日付指定情報ＳＤｔおよび場所指定情報ＳＤｐを処理部３に出力する。
【００７６】
処理部３は、表示部５からの閲覧開始信号Ｓ３の出力を検出したときには、バッチ表示処理を実行する。このバッチ表示処理では、処理部３は、まず、表示部５から出力されている箱指定番号ＳＮｂ、日付指定情報ＳＤｔおよび場所指定情報ＳＤｐを取得する。次いで、処理部３は、記憶部４に記憶されている各測定データＤｉｖに関連付けられている箱番号Ｎｂ、日付情報Ｄｔおよび場所情報Ｄｐを検索して、これらが上記の箱指定番号ＳＮｂで示される箱番号Ｎｂ、日付指定情報ＳＤｔで示される日付情報Ｄｔ、および場所指定情報ＳＤｐで示される場所情報Ｄｐとすべて一致する（すべて同じになる）測定データＤｉｖを閲覧対象の測定データＤｉｖとして特定して、対応するストリング番号Ｎｓと共にすべて読み出す。これにより、日付指定情報ＳＤｔで示される日に、場所指定情報ＳＤｐで示される場所で、かつ箱指定番号ＳＮｂで示される接続箱１３に接続されている規定数Ｎｓ１のストリング１２についての測定データＤｉｖがストリング番号Ｎｓと共に閲覧対象の測定データＤｉｖとしてすべて読み出される。
【００７７】
次いで、処理部３は、このようにして読み出した閲覧対象の測定データＤｉｖを表示部５に出力する。表示部５は、図４に示すようなデータ閲覧画面に画面ＳＣの表示内容が切り替えられている状態においてこの閲覧対象の測定データＤｉｖを取得（入力）して、この閲覧対象の測定データＤｉｖで表される電流−電圧特性を示す規定数Ｎｓ１本（同図では一例として、４本）の特性グラフを図４に示すように画面ＳＣ上に表示させた１つのＩＶ座標空間ＡＲ内に重ね合わせて表示する。
【００７８】
例えば、作業者が、図５〜図８に示されるように記憶部４に記憶されている複数（この例では、３１個）の測定データＤｉｖのうちの図６において矢印で示される接続箱１３（上田における箱番号Ｎｂが１０の接続箱１３）に接続されている規定数Ｎｓ１のストリング１２についての電流−電圧特性を閲覧する場合には、図４に示すデータ閲覧画面において、「場所」の入力ボックス内に場所指定情報ＳＤｐとして「上田」を入力し、「ボックスＮｏ」の入力ボックス内に箱指定番号ＳＮｂとして値１０を入力し、かつ「日付」の入力ボックス内に日付指定情報ＳＤｔとして２０１６年５月２１日を示す「２０１６／０５／２１」を入力する。
【００７９】
この場合、上田などの場所名や、ボックスＮｏを示す数値や、日付を示す値を入力キーから直接入力する構成を採用することもできるし、また図４に示すようにプルダウンメニューキー（同図では一例として、下向きの三角マーク）を各入力ボックスに対応させて表示し、このプルダウンメニューキーが操作されたときには、この操作情報が操作部６として機能する表示部５から処理部３に出力され、かつ処理部３が記憶部４に既に記憶されている測定データＤｉｖに関連付けされている対応情報を検索して、存在する値を入力ボックスの下にプルダウンメニューとして表示させる構成を採用することもできる。これにより、本例のように、上田に設置されている２０個の接続箱１３に接続されているストリング１２についての測定データＤｉｖとして、２０１６年５月２０日に測定された８個の接続箱１３に接続されているストリング１２についての測定データＤｉｖと、２０１６年５月２１日に測定された１２個の接続箱１３に接続されているストリング１２についての測定データＤｉｖとが記憶されると共に、小諸に設置されている１１個の接続箱１３に接続されているストリング１２についての測定データＤｉｖとして、２０１６年５月２２日に測定された測定データＤｉｖが記憶されているときには、「場所」の入力ボックスに対応するプルダウンメニューキーが操作されたときには、処理部３は、「上田」および「小諸」の文字情報が表示されたプルダウンメニューを表示させる。また、「ボックスＮｏ」の入力ボックスに対応するプルダウンメニューキーが操作されたときには、処理部３は、「場所」の入力ボックスに表示されている場所指定情報ＳＤｐに応じて、これが「上田」のときには値１から値２０までの数値が表示されたプルダウンメニューを表示させ、これが「小諸」のときには値１から値１１までの数値が表示されたプルダウンメニューを表示させる。また、「日付」の入力ボックスに対応するプルダウンメニューキーが操作されたときには、処理部３は、「場所」の入力ボックスに表示されている場所指定情報ＳＤｐに応じて、これが「上田」のときには２０１６年５月２０日を示す文字「２０１６／０５／２０」および２０１６年５月２１日を示す文字「２０１６／０５／２１」が表示されたプルダウンメニューを表示させ、これが「小諸」のときには２０１６年５月２２日を示す文字「２０１６／０５／２２」が表示されたプルダウンメニューを表示させる。
【００８０】
これにより、操作部６として機能する表示部５は、閲覧開始信号Ｓ３と共に、箱指定番号ＳＮｂ（＝１０）、日付指定情報ＳＤｔ（例えば、２０１６／０５／２１を示す値２０１６０５２１）および場所指定情報ＳＤｐ（＝上田）を処理部３に出力する。また、これらの情報を取得した処理部３は、記憶部４に記憶されている測定データＤｉｖの中から図６において矢印で示される接続箱１３に接続されている規定数Ｎｓ１のストリング１２についての測定データＤｉｖを読み出して表示部５に出力することにより、図４に示すように、表示部５に対して、画面ＳＣ上に表示されているデータ閲覧画面におけるＩＶ座標空間ＡＲ内に、この規定数Ｎｓ１のストリング１２についての特性グラフを同図に示すように重ね合わせて表示させる。なお、図４では、発明の理解を容易にするため、規定数Ｎｓ１が値４であるとしたときの特性グラフを示している。
【００８１】
この特性グラフのＩＶ座標空間ＡＲ内への表示に際して、処理部３は、表示部５に対して、初期状態では、ストリング番号Ｎｓの最も小さい特性グラフを選択特性グラフとして、他の特性グラフとは異なる選択区別用表示形態（例えば、選択特性グラフは特定色としての緑で、他の特性グラフは非特定色としての灰色）で表示部５に対して表示させる。この場合、処理部３は、選択特性グラフについては、図示はしないが、その曲線因子や、短絡電流値Ｉｓｃや、開放電圧Ｖｏｃなどの測定パラメータを演算して、データ閲覧画面に表示させる。
【００８２】
作業者は、現在の選択特性グラフを他の特性グラフに変更するときには、タッチパネル機能を備えた画面ＳＣに対するフリック操作をデータ閲覧画面の表示状態において行う。表示部５は、データ閲覧画面の表示状態において、画面ＳＣに対するフリック操作（例えば、ＩＶ座標空間ＡＲ内でのフリック操作）が行われたときには、フリック操作の方向を示す方向情報（右方向か左方向かを示す情報）を処理部３に出力する。処理部３は、この方向情報を入力したときには、この方向情報で示される方向に基づいて選択特性グラフを変更して表示部５に表示させると共に、現在の選択特性グラフについての上記の測定パラメータを演算してデータ閲覧画面に表示（更新表示）させる。
【００８３】
この特性測定装置１では、指定の接続箱１３についての規定数Ｎｓ１のストリング１２についての特性グラフを画面ＳＣ上に重ね合わせて表示させ、かつ選択特性グラフを選択区別用表示形態としての特定色で表示させている状態において、簡易なフリック操作に基づき、この選択特性グラフを変更することができるため、この選択特性グラフについての測定パラメータを画面ＳＣ上に表示させる構成を採用しているときに、任意の特性グラフについての測定パラメータを容易な操作で画面ＳＣ上に表示させて確認することができる。
【００８４】
このように、この特性測定装置１では、処理部３は、記憶処理において、測定部２から取得したストリング１２についての測定データＤｉｖをストリング１２が接続されている接続箱１３を示す箱識別情報としての箱番号Ｎｂに関連付けて記憶部４に記憶させ、表示処理としてのバッチ表示処理においては、操作部６（本例では操作部６として機能する表示部５）から出力された箱指定番号ＳＮｂに関連付けられている（つまり、この箱指定番号ＳＮｂと同じ接続箱１３を示す箱番号Ｎｂに関連付けられている）すべて（本例では規定数Ｎｓ１）のストリング１２についての測定データＤｉｖを読み出すと共にこれらの測定データＤｉｖに基づいて規定数Ｎｓ１のストリング１２についての特性グラフを表示部５の画面ＳＣ上（本例では画面ＳＣ上に表示されている１つのＩＶ座標空間ＡＲ内に）に重ね合わせて表示させる。
【００８５】
したがって、この特性測定装置１によれば、複数の接続箱１３にそれぞれ接続されている規定数Ｎｓ１のストリング１２についての測定データＤｉｖを箱番号Ｎｂを用いて接続箱１３毎に識別（指定）可能な状態で記憶部４に記憶することができ、また、これにより、操作部６から出力された箱指定番号ＳＮｂで示される接続箱１３に接続されている規定数Ｎｓ１のストリング１２についての測定データＤｉｖを読み出せることから、この箱指定番号ＳＮｂで指定された接続箱１３に接続されているストリング１２についての電流−電圧特性を示す特性グラフを画面ＳＣ上のＩＶ座標空間ＡＲ内に重ね合わせて表示させることができる。このため、この特性測定装置１によれば、複数の接続箱１３にそれぞれ接続されている規定数Ｎｓ１のストリング１２についての特性グラフを、ＩＶ座標空間ＡＲ内に切り替えながら、表示させることができるため、１つの接続箱１３に接続されているストリング１２についての電流−電圧特性を、他の接続箱１３に接続されているストリング１２についての電流−電圧特性と比較しつつ評価したり、複数の接続箱１３に接続されているストリング１２についての電流−電圧特性の評価を、例えば自社に持ち帰って表示部５の画面ＳＣ上に個別に表示させつつ、まとめて評価することもできる。
【００８６】
また、この特性測定装置１では、処理部が、記憶処理において、測定部２から取得したストリング１２についての測定データＤｉｖを箱番号Ｎｂに関連付けて記憶部４に記憶させつつ、同じ箱番号Ｎｂ（現在の測定を実施している接続箱１３の箱番号Ｎｂ）に関連付けして記憶させた測定データＤｉｖの数が規定数Ｎｓ１に達したときに箱番号Ｎｂをインクリメントする。したがって、この特性測定装置１によれば、箱番号Ｎｂが自動的にインクリメントされるため、測定対象のストリング１２が接続されている接続箱１３を変更する都度、箱番号Ｎｂを作業者が手動で設定（入力）する構成とは異なり、電流−電圧特性の測定に際しての作業者の手間を大幅に省くことができると共に、箱番号Ｎｂの誤入力を回避することができる。
【００８７】
また、この特性測定装置１では、処理部３は、記憶処理において、測定データＤｉｖを操作部６（本例では操作部６としても機能する表示部５）から出力されたストリング１２の設置場所を示す場所情報Ｄｐにも関連付けて記憶部４に記憶させ、バッチ表示処理において、操作部６から箱指定番号ＳＮｂと共に場所指定情報ＳＤｐが出力されているときには、箱指定番号ＳＮｂと同じ箱番号Ｎｂに関連付けられると共に場所指定情報ＳＤｐと同じ場所情報Ｄｐに関連付けられているすべて（規定数Ｎｓ１）のストリング１２についての測定データＤｉｖを読み出すと共にこれらの測定データＤｉｖに基づいてこれらのストリング１２（場所指定情報ＳＤｐで示される設置場所に設置されている箱指定番号ＳＮｂで示される箱番号Ｎｂの１つの接続箱１３に接続されている規定数Ｎｓ１のストリング１２）についての特性グラフを画面ＳＣ上の１つのＩＶ座標空間ＡＲ内に重ね合わせて表示させる。
【００８８】
したがって、この特性測定装置１によれば、記憶部４に記憶されている複数の接続箱１３にそれぞれ接続されている複数（規定数Ｎｓ１）のストリング１２についての測定データＤｉｖの中から、箱番号Ｎｂと共に設置場所についても指定して１つの接続箱１３に接続されている規定数Ｎｓ１のストリング１２についての測定データＤｉｖを読み出すと共に、この測定データＤｉｖに基づいて、この規定数Ｎｓ１のストリング１２についての特性グラフをＩＶ座標空間ＡＲ内に重ね合わせて表示させることができる。これにより、この特性測定装置１によれば、各ストリング１２についての測定データＤｉｖを、接続箱１３単位で、かつ接続箱１３の設置場所毎に分けて収集（管理）することもできる。
【００８９】
また、この特性測定装置１では、処理部３は、記憶処理において、測定データＤｉｖを測定した日付を示す日付情報Ｄｔにも関連付けて記憶部４に記憶させ、バッチ表示処理において、操作部６から箱指定番号ＳＮｂと共に日付指定情報ＳＤｔが出力されているときには、箱指定番号ＳＮｂと同じ箱番号Ｎｂに関連付けられると共に日付指定情報ＳＤｔと同じ日付情報Ｄｔに関連付けられているすべて（規定数Ｎｓ１）のストリング１２についての測定データＤｉｖを読み出すと共にこれらの測定データＤｉｖに基づいてこれらのストリング１２（日付指定情報ＳＤｔで示される日付で示される測定日に測定が実施されたストリング１２であって、箱指定番号ＳＮｂで示される箱番号Ｎｂの１つの接続箱１３に接続されている規定数Ｎｓ１のストリング１２）についての特性グラフを画面ＳＣ上の１つのＩＶ座標空間ＡＲ内に重ね合わせて表示させる。
【００９０】
具体例を挙げて説明すると、例えば、小諸に設置されている箱番号Ｎｂが値１〜値１１の接続箱１３にそれぞれ接続されている規定数Ｎｓ１のストリング１２について、図７に示される日付（２０１６年５月２２日）とは異なる測定日（例えば、２０１６年５月３０日）にも測定を実施したときには、同じ設置場所（場所情報Ｄｐが「小諸」で共通）の同じ箱番号Ｎｂ（値１〜値１１）の接続箱１３それぞれ接続されている規定数Ｎｓ１のストリング１２について、図８に示すように、場所情報Ｄｐ、箱番号Ｎｂ、ストリング番号Ｎｓ、および日付情報Ｄｔ（２０１６０５３０）に関連付けられた測定データＤｉｖも併せて記憶部４に記憶される。
【００９１】
したがって、この特性測定装置１によれば、記憶部４に記憶されている複数の接続箱１３にそれぞれ接続されている複数（規定数Ｎｓ１）のストリング１２についての測定データＤｉｖの中から、箱番号Ｎｂと共に測定の日付についても指定して１つの接続箱１３に接続されている規定数Ｎｓ１のストリング１２についての測定データＤｉｖを読み出すと共に、この測定データＤｉｖに基づいて、この規定数Ｎｓ１のストリング１２についての特性グラフをＩＶ座標空間ＡＲ内に重ね合わせて表示させることができる。これにより、この特性測定装置１によれば、各ストリング１２についての測定データＤｉｖを、接続箱１３単位で、かつ測定の日付毎に分けて収集（管理）することもでき、このため、各接続箱１３に接続されている各ストリング１２の特性グラフの経時変化についても評価することができる。
【００９２】
また、この特性測定装置１では、測定部２は、一対のプローブＰＬ１，ＰＬ２を介してストリング１２との接続の有無を検出する接続検出機能、この接続検出機能に基づいてストリング１２との接続を検出しているときにストリング１２についての電流−電圧特性を測定すると共にこの測定の時点でのストリング番号Ｎｓをこの測定した電流−電圧特性を示す測定データＤｉｖと共に出力する測定機能、および接続検出機能に基づいてストリング１２との接続が解除されたことを検出したときにストリング番号Ｎｓをインクリメントするストリング番号更新機能を備え、また表示部５はタッチパネル機能を備え、処理部３は、記憶処理において、測定部２から出力される測定データＤｉｖおよびストリング番号Ｎｓを取得すると共にこの測定データＤｉｖをこのストリング番号Ｎｓにも関連付けて記憶させ、バッチ表示処理において、規定数Ｎｓ１のストリング１２についての特性グラフを画面ＳＣ上に重ね合わせて表示させると共にこれらの特性グラフのうちの１つを選択された現在の選択特性グラフとして残りの特性グラフとは異なる表示形態で表示させている状態のときに、タッチパネル機能によって画面ＳＣ上でのフリック操作を検出したときには、この検出したフリック操作の方向に応じて、選択特性グラフに関連付けられているストリング番号Ｎｓをインクリメントまたはデクリメントして得られる新たなストリング番号Ｎｓに関連付けられている特性グラフを新たな選択特性グラフとして異なる表示形態で表示させる。
【００９３】
したがって、この特性測定装置１によれば、指定した１つの接続箱１３についての規定数Ｎｓ１のストリング１２についての特性グラフを画面ＳＣ上に重ね合わせて表示させ、かつ選択特性グラフを選択区別用表示形態（本例では特定色としての緑色）で表示させている状態において、簡易なフリック操作に基づき、この選択特性グラフを変更することができるため、例えば、この選択特性グラフについての測定パラメータを画面ＳＣ上に表示させる構成を採用しているときに、任意の特性グラフについての測定パラメータを容易な操作で画面ＳＣ上に表示させて確認することができる。
【００９４】
また、この特性測定装置１では、処理部３は、表示処理としてのリアルタイム表示処理においては、１つの接続箱１３に接続されている規定数Ｎｓ１のストリング１２についての測定データＤｉｖを測定部２から取得する都度、この測定データＤｉｖに基づき新たな特性グラフを最新の特性グラフであることを示す最新区別用表示形態としての特定色（本例では特定色としての青色）で表示させると共に既に表示されている他の特性グラフをこの最新区別用表示形態とは異なる表示形態（本例では非特定色としての灰色）で表示させる。
【００９５】
したがって、この特性測定装置１によれば、現在、電流−電圧特性を測定しているストリング１２（図３に示すように、画面ＳＣの「ボックスＮｏ」の表示ボックス内に表示されている箱番号Ｎｂの接続箱１３に接続されている「ストリングＮｏ」の表示ボックス内に表示されているストリング番号Ｎｓのストリング１２）についての電流−電圧特性をリアルタイムで、しかも既に測定されたストリング１２の特性グラフと明確に区別した状態で比較することができる。
【００９６】
なお、この特性測定装置１は上記の構成に限定されるものではない。例えば、ストリング１２については、異常が存在していないときの特性グラフの形状、および異常が存在しているときの異常の種類毎の特性グラフの形状については、実験やシミュレーションなどの手法により、予め求めておくことが可能である。このため、例えば、異常が存在していないときの特性グラフが含まれる判定範囲を予め求めて記憶部４に記憶させておくことで、リアルタイム表示処理およびバッチ表示処理の少なくとも一方の表示処理において、処理部３が、測定したストリング１２の特性グラフとこの判定範囲とを比較する判定処理を実行して、この測定した特性グラフが全体として判定範囲に含まれているときには、ストリング１２は正常であり、一方、この測定した特性グラフの一部が判定範囲から外れているときには、ストリング１２は異常であると判定して、その旨（正常であるか異常であるか）を画面ＳＣ上に表示させる構成を採用することもできる。この場合、判定の結果については、例えば、異常であるときにのみ上記した色（青色や緑色や灰色）とは異なる色（異常を示す特定色。例えば赤色）で特性グラフを異常区別用表示形態で表示させるなど、種々の公知の構成を採用することができる。
【００９７】
具体例を挙げて説明すると、例えば、図９に示すように、異常が存在していないときの特性グラフ（同図において一点鎖線で示される各特性グラフ）が含まれる判定範囲（同図において破線で囲まれた範囲）を予め求めて記憶部４に記憶させておき、この判定範囲から外れる太線で示す特性グラフについては異常であると判定して、異常を示す異常区別用表示形態として特定色で表示させる。なお、異常を示す異常区別用表示形態については色を正常な特性グラフの色と違える以外に、線種を変えるなど、正常な特性グラフの表示形態と異なる種々の表示形態を採用することができる。
【００９８】
また、異常の種類毎に、異常時の特性グラフに現れる特徴を判定基準として予め求めて記憶部４に記憶させておき、測定したストリング１２の特性グラフが、このいずれの判定基準にも合致していないときには、このストリング１２は正常であり、一方、いずれかの判定基準に合致しているときには、このストリング１２には、合致している判定基準に対応する異常が生じていると判定する構成を採用することもできる。
【００９９】
このような構成を採用することにより、接続箱１３に接続されている複数のストリング１２が正常であるか異常であるかを、画面ＳＣ上に表示されている表示内容（特性グラフの表示形態）に基づいて、目視にて個別に判定することができる。さらに、異常時の特性グラフに現れる特徴を判定基準として予め求めて記憶部４に記憶させる構成では、発生している異常の種類についても、画面ＳＣ上に表示されている表示内容に基づいて、目視にて個別に判定することができる。
【０１００】
なお、上記の特性測定装置１では、演算制御部３５が測定データＤｉｖと共に処理部３に出力するストリング番号Ｎｓを、初期値を値１としてインクリメントするストリング番号更新機能を有して、処理部３が、箱識別情報生成処理において、この演算制御部３５から出力されるストリング番号Ｎｓに基づき、箱番号Ｎｂを、初期値を値１として、１つの接続箱１３に接続されている複数（規定数Ｎｓ１）のストリング１２についての測定データＤｉｖの測定の完了を検出する（演算制御部３５から出力されるストリング番号Ｎｓが規定数Ｎｓ１に達したことを検出する）都度、インクリメントして生成する構成を採用しているが、この構成に限定されない。例えば、演算制御部３５が測定データＤｉｖと共に処理部３に出力するストリング番号Ｎｓを、初期値を規定数Ｎｓ１としてデクリメントするストリング番号更新機能を有して、処理部３が、箱識別情報生成処理において、この演算制御部３５から出力されるストリング番号Ｎｓに基づき、箱番号Ｎｂを、初期値を値１として、１つの接続箱１３に接続されている複数（規定数Ｎｓ１）のストリング１２についての測定データＤｉｖの測定の完了を検出する（演算制御部３５から出力されるストリング番号Ｎｓが規定数Ｎｓ１から順次減少して値１に達したことを検出する）都度、インクリメントして生成する構成を採用することもできる。
【０１０１】
また、上記の特性測定装置１では、処理部３が、箱番号Ｎｂを自動的にインクリメントする構成を採用しているが、この構成に代えて、作業者が、測定を実施する都度、操作部６を操作して箱番号Ｎｂを処理部３に入力する構成を採用することもできる。また、特性測定装置１では、操作部６から場所情報Ｄｐを処理部３に入力して、処理部３が、この場所情報Ｄｐを測定データＤｉｖに関連付けて記憶部４に記憶させる構成を採用しているが、測定データＤｉｖに場所情報Ｄｐを関連付けしない構成を採用することもできる。
【０１０２】
また、上記の特性測定装置１では、時計部７を備えて、処理部３が日付情報Ｄｔを時計部７から取得する構成を採用しているが、時計部７を備える構成に代えて、作業者が、測定を実施する都度、操作部６を操作して日付情報Ｄｔを処理部３に入力する構成を採用することもできる。また、上記の特性測定装置１では、処理部３が、この日付情報Ｄｔを測定データＤｉｖに関連付けて記憶部４に記憶させる構成を採用しているが、測定データＤｉｖに日付情報Ｄｔを関連付けしない構成を採用することもできる。また、処理部３と演算制御部３５を１つにまとめて、全体として１つの処理部または演算制御部とする構成を採用することもできる。
【符号の説明】
【０１０３】
１  太陽電池特性測定装置（特性測定装置）
２  測定部
３  処理部
４  記憶部
６  操作部
１２  ストリング
１３  接続箱
Ｄｉｖ  測定データ
Ｎｂ  箱番号（箱識別情報）
ＰＬ１，ＰＬ２  プローブ
ＳＤｐ  場所指定情報
ＳＤｔ  日付指定情報
ＳＮｂ  箱指定番号
Ｖｔｓｔ  試験電圧
【図１】
0006710584.tif 000002
【図２】
0006710584.tif 000003
【図３】
0006710584.tif 000004
【図４】
0006710584.tif 000005
【図５】
0006710584.tif 000006
【図６】
0006710584.tif 000007
【図７】
0006710584.tif 000008
【図８】
0006710584.tif 000009
【図９】
0006710584.tif 000010